(57)【要約】      （修正有）【課題】多種多様な付属品を判別するのに好適な付属品の判別手段を備えた分光光度計を提供する。【解決手段】筐体１５内に光源、分光器、試料室及び検出器を配置してなる分光光度計１０であって、試料室の一部を構成する開閉可能なフタ１１にバーコードリーダ１２を取り付ける。一方、試料室の空間１６内に設置する付属品１３のバーコードリーダ１２に対応する箇所には装置情報又は付属品情報を格納したバーコード１４を貼り付ける。【選択図】図２
0003218378.tif 000002
【実用新案登録請求の範囲】
【請求項１】
筐体内に光源、分光器、試料室、試料室内に配置される取り外し可能な付属品及び検出器を備えた分光光度計において、前記取り外し可能な付属品に装置情報又は付属品情報を格納した識別子を有し、前記試料室内に前記付属品を設置した際に、前記付属品の前記識別子を読み取ることができる読み取り手段を前記試料室に設けたことを特徴とする分光光度計。
【請求項２】
請求項１記載の分光光度計において、前記試料室のフタに読み取り手段を設け、前記付属品側に貼り付けた前記識別子を前記読み取り手段により読み取るようにしたことを特徴とする分光光度計。
【請求項３】
請求項１又は請求項２記載の分光光度計において、前記読み取り手段を前記試料室底面に設け、前記識別子を前記付属品下部に貼り付けたことを特徴とする分光光度計。
【請求項４】
請求項１ないし請求項３記載の分光光度計において、前記識別子がバーコード又はＲＦＩＤタグであることを特徴とする分光光度計。
【考案の詳細な説明】
【技術分野】
【０００１】
本考案は、分光光度計に係り、特に測定に際して用いる多種多様な付属品を判別することができる分光光度計に関する。
【背景技術】
【０００２】
分光光度計は、主たる構成要素として光源、分光器、試料室及び検出器を筐体内に配置してなる。光源から出射した光を測定に用いる波長の光として分光器で分光し、試料に入射させる。試料は、例えば、溶液試料の場合、試料セルホルダで保持した試料セルと呼ばれる容器に入れて試料室内に設置する。
試料を透過あるいは反射した光の強度を検出器で検出する。分光光度計ではこれを透過率もしくは吸光度に演算して表示する。一般には固体試料の測定時には透過率、溶液試料の測定時には吸光度を使用する。
このように分光光度計では、試料を透過あるいは反射した光を検出することで試料中の物質の同定や定量を行うことができ、大学や官庁、製薬、化学、食品など、幅広い分野で研究開発や品質管理に用いられている。
【０００３】
分光光度計では、通常、試料や目的に応じて試料室に試料を設置するために多種多様な付属品を用いる。例えば、フィルムやフィルタなど薄い試料を挟んで測定するためのフィルムホルダ、複数個の試料セルを同時に装着できるセルポジショナ、微量試料を測定する際に使用する超ミクロセル用のセルホルダなど、分光光度計の優れた機能を十分に発揮させるために、応用分野や試料の性質に最適な付属品を選択する。
【０００４】
従来、赤外分光光度計において、試料室内に設置する付属品にその種類に応じた認識用チップを搭載したものが知られている（例えば、特許文献１参照）。これは認識用チップに格納した測定法情報を読み込み、各種測定法で測定したスペクトルに対して適正な検索を行うことができるようにしたものである。
一方、分光光度計では多種多様な付属品を判別し、これをデータとともに記録することが求められている。
【先行技術文献】
【特許文献】
【０００５】
【特許文献１】特開２０１５−２０６６２５号公報
【考案の概要】
【考案が解決しようとする課題】
【０００６】
分光光度計の付属品は、構造上、寿命が長く、分光光度計本体を変更してもそのまま流用されることが多い。そのため、顧客の使い勝手を向上させるため、古い付属品にも容易に対処できる付属品の判別機構が望まれている。また、この場合、読み取り手段による読み取りが測定に影響を与えることがあってはならない。さらに、付属品を判別するための識別子が損傷したときには、迅速かつ簡便に修復できなければならない。
本考案は、多種多様な付属品の判別に好適な判別手段を備えた分光光度計を提供することを目的としている。
【課題を解決するための手段】
【０００７】
上記課題を解決するため、請求項１記載の本考案の分光光度計は、筐体内に光源、分光器、試料室、試料室内に配置される取り外し可能な付属品及び検出器を備えた分光光度計であって、取り外し可能な付属品に装置情報又は付属品情報を格納した識別子を有し、試料室内に付属品を設置した際に、付属品の識別子を読み取ることができる読み取り手段を試料室に設け、多種多様な付属品を試料室内への設置に同期して判別できるようにしたものである。
【０００８】
また、請求項２記載の本考案の分光光度計は、請求項１記載の分光光度計であって、試料室のフタに読み取り手段を設け、付属品側に貼り付けた識別子を読み取り手段により読み取るようにしたものである。  付属品側の識別子を貼り付ける箇所は、試料室の一部を構成する開閉可能なフタに取り付けた読み取り手段の作動範囲内でなければならないが、特殊な付属品を除いて大部分の付属品について対応個所を特定することができる。
【０００９】
さらに、請求項３記載の本考案の分光光度計は、請求項１又は請求項２記載の分光光度計であって、読み取り手段を試料室底面に設け、識別子を付属品底部に貼り付けたものである。
【００１０】
さらにまた、請求項４記載の本考案の分光光度計は、請求項１ないし請求項３記載の分光光度計であって、識別子としてバーコード又はＲＦＩＤタグを用いたものである。これら識別子はバーコードリーダ又はリーダライタにより読み取ることができる。
【考案の効果】
【００１１】
本考案の分光光度計によれば、試料室内に設置する付属品の読み取り手段に対応する箇所に装置情報又は付属品情報を格納した識別子を貼り付けるだけでよいので、多種多様な付属品にも容易に適用することができ、古い付属品でもそのまま継続して使用することもできる。
また、読み取り手段が試料室の一部を構成する開閉可能なフタに取り付けられるので、フタが閉じたことを感知して読み取りを開始し、測定時にその動作を停止するよう構成して、フタの開閉に同期して付属品情報を得ることができ、使用者の手を煩わせることがない。
さらに、読み取り手段が試料室の一部を構成するフタ又は試料室底面に取り付けられているので試薬の影響を受けにくく、また、フタや付属品の取り外しは比較的簡単であり、読み取り手段や識別子が損傷したときは、読み取り手段の交換や新しい識別子を付属品に貼り直すだけで容易に修復することができる。特に、バーコードやＲＦＩＤタグのように貼り付け作業が容易な識別子の場合には、その貼り付け作業は迅速かつ簡便に行うことができる。
【図面の簡単な説明】
【００１２】
【図１】本考案の分光光度計の基本構成を示す図である。
【図２】本考案の分光光度計の試料室のフタの開閉時の構成を示す図であって、（Ａ）はフタが閉じている状態、（Ｂ）はフタが開いている状態である。
【考案を実施するための形態】
【００１３】
以下、図面を用いて本考案の分光光度計を説明する。
図１は、本考案の分光光度計の基本構成を示す図で、分光光度計の光源１には、通常、紫外領域に重水素放電管、可視領域にハロゲンランプを用いる。それぞれのランプは使用する波長に応じて、切り替えて使用するが、近年では、光源寿命の観点から、キセノンフラッシュランプを光源１とする分光光度計もある。キセノンフラッシュランプは、ハロゲンランプや重水素放電管に比べて寿命が長いだけでなく、紫外領域から可視領域にかけて一つのランプで測定できる利点がある。
【００１４】
測定にあたっては、まず、光源１から測定に用いる波長の光を回折格子などの分光器２によって単色光に分光し、試料に入射させる。試料は、例えば、溶液試料の場合、試料セルと呼ばれる容器に入れ、付属品の試料セルホルダ（図示せず）で保持して試料室３内に設置する。試料を透過した光の強度を光電子増倍管やシリコンフォトダイオード等の検出器４で検出する。分光光度計では、通常、これを透過率もしくは吸光度に演算し表示する演算表示部５を備えている。一般的に、固体試料の測定は透過率、溶液試料の測定には吸光度を使用する。
【００１５】
図２は、本考案の分光光度計の試料室の一部を構成するフタの開閉時の構成を示す図であって、（Ａ）はフタが閉じている状態、（Ｂ）はフタが開いている状態である。
図２において、分光光度計１０は筐体１５を有し、筐体１５内に図１に示す演算表示部５を除く構成要素の光源１、分光器２、試料室３及び検出器４が光学素子とともに、配置され測定光学系が形成されている。
【００１６】
試料室３は、試料室３の一部を構成するフタ１１を閉じることにより所定の広さの空間１６が形成される（図２（Ａ）参照）。測定に際しては、測定目的や試料の性質に応じて多種多様な付属品１３が試料室３の空間１６内に設置される。例えば、フィルムやフィルタなど薄い試料を挟んで測定するためのフィルムホルダ、複数個の試料セルを同時に装着できるセルポジショナ、微量試料を測定する際に使用する超ミクロセル用セルホルダなど、測定に最適な付属品が選択される。
【００１７】
試料室３の一部を構成するフタ１１の裏面には、バーコードリーダ１２が取り付けられている。一方、バーコードリーダ１２が情報を読み取れる作動範囲内であって付属品１３の対応する箇所に装置情報又は付属品情報を格納した識別子としてバーコード１４が貼り付けられている。付属品１３には多種多様のものがあるが、一部の例外を除いてバーコードリーダ１２の作動範囲内でバーコード１４を貼り付ける箇所を付属品１３ごとに特定することは可能である。
また、バーコードリーダ１２を試料室３の底面に配置し、識別子としてバーコード１４を付属品１３の底部に貼り付けてもよい。
【００１８】
装置情報又は付属品情報を格納した識別子としてバーコード１４が取り扱い簡便で好適であるが、例えば、ＲＦＩＤタグ（図示せず）もバーコード１４と同様に付属品１３に貼り付け、または貼り直すだけで使用することができる。
なお、バーコードリーダ１２によるバーコード１４の読み取りは、具体的な構成は示していないが、フタ１１が閉じたときに読み込みを開始し、測定時にその動作が停止するようにフタ１１の開閉動作に同期して行うことができる。バーコードリーダ１２で読み取った装置情報又は付属品情報は、演算表示部５へ転送される測定データとともに記録・表示される。
【符号の説明】
【００１９】
１  ・・・光源
２  ・・・分光器
３  ・・・試料室
４  ・・・検出器
５  ・・・演算表示部
１０  ・・・分光光度計
１１  ・・・フタ
１２  ・・・バーコードリーダ
１３  ・・・付属品
１４  ・・・バーコード
１５  ・・・筐体
１６  ・・・空間
【図１】
0003218378.tif 000003
【図２】
0003218378.tif 000004